【手続補正書】
【提出日】平成17年4月8日(2005.4.8)
【手続補正１】
【補正対象書類名】明細書
【補正対象項目名】０００６
【補正方法】変更
【補正の内容】
【０００６】
ところで、一般に電子銃の性能は、レンズ倍率、球面収差係数などのレンズ定数によって表され、特にこの２つの定数によって、ほぼ主レンズのレンズの性能が決定され、上記レンズ定数が小さいほど、主レンズ部の性能がよく、電子ビームを小さく集束して画面上のビームスポットを小さくし、解像度を向上させることができる。
【手続補正２】
【補正対象書類名】明細書
【補正対象項目名】０００７
【補正方法】変更
【補正の内容】
【０００７】
しかし、カラー受像管の解像度は、電子銃の主レンズ部のほかに、偏向ヨークの発生する磁界の影響を受ける。上記インライン型カラー受像管では、偏向ヨークの発生する水平偏向磁界をピンクッション形、垂直偏向磁界をバレル形として、画面全面にわたり、同一水平面上を通る一列配置の３電子ビームを集中するセルフコンバーゼンス・インライン型カラー受像管が広く実用化されているが、このようなカラー受像管では、水平偏向磁界をピンクッション形、垂直偏向磁界をバレル形とする非斉一次会のために、ビームスポットが歪み、画面周辺部では、横長の高輝度のコア部の垂直方向に低輝度のハロー部をもつ形状となり、解像度を劣化させる。
【手続補正３】
【補正対象書類名】明細書
【補正対象項目名】００１６
【補正方法】変更
【補正の内容】
【００１６】
【発明が解決しようとする課題】
上記のように、カラー受像管の解像度を向上させるために、電子銃の一部電極に電子ビームの偏向に同期して増大する電圧を印加して、レンズ強度が変化する非対称レンズを形成し、偏向ヨークの発生する非斉一磁界によるビームスポットの歪をなくすダイナミックフォーカス方式の電子銃がある。しかし、この電子銃は、通常の電子銃の電極のほかに、少なくとも1個の電極を追加する必要があり、通常の電子銃に必要なステムピンよりも、さらに少なくとも1本増やす必要がある。
【手続補正４】
【補正対象書類名】明細書
【補正対象項目名】００１７
【補正方法】変更
【補正の内容】
【００１７】
一方、カラー受像管の省電力のためには、ネック外径を縮小して、偏向コイルを電子ビームに近づけることが有効である。そのために、現在規格化されているネックの内、最も外径の小さい２２．５ｍｍとすると、この２２．５ｍｍのネック用ステムは、ステムピンの本数が8本しかなく、さらにステムピンの本数を増やすことは、ステムピン間の耐電圧上困難である。
【手続補正５】
【補正対象書類名】明細書
【補正対象項目名】００２０
【補正方法】変更
【補正の内容】
【００２０】
しかし、上記のように構成すると、ステムの外側に取付けられるベースが通常のカラー受像管のベースと組合わされるソケットとの互換性を確保するために、外径が２９．１ｍｍのネック用のベースが用いられる。ところが、このベースは、最大外径が５．０ｍｍと、ネック外径よりも大きいため、このようなベースを取付けると、ネック端部側からファンネルの外側に装着される偏向コイルの最小径を２５．０ｍｍ以上としなければならず、ネックとの間に隙間ができ、ネック外径を小さくしても、十分な省電力が得られないという問題がある。
【手続補正６】
【補正対象書類名】明細書
【補正対象項目名】００３６
【補正方法】変更
【補正の内容】
【００３６】
上記電子銃８は、図２に示すように、一列配置の3個のカソードKB,KG,KR、これらカソードKB,KG,KRを各別に加熱する3個のヒータHB,HG,HR、上記カソードKB,KG,KRから順次蛍光体スクリーン方向に配置された第1乃至第4電極G1〜G4、第5電極G5の2個の分割電極G51,G52、第6電極G6、およびこの第6電極G6の蛍光体スクリーン側端部に取付けられたシールドカップCを有し、このシールドカップC以外のヒータHB,HG,HR、カソードKB,KG,KRおよび第1乃至第6電極G1〜G6が一対の絶縁支持棒（図示せず）により一体的に固定されている。
【手続補正７】
【補正対象書類名】明細書
【補正対象項目名】００４０
【補正方法】変更
【補正の内容】
【００４０】
この電子銃８では、各カソードKB,KG,KRに約１５０Vの直流電圧にビデオ信号が重畳された電圧が印加され、第1電極G1は接地され、第2電極G2と第4電極G4は、管内で接続され、これら電極G2,G4には、約８００Vの直流電圧が印加される。第3電極G3と第5電極G5の分割電極G52は、管内で接続され、これら電極G3,G52には、約６〜９ｋVの直流電圧に偏向ヨークの電子ビームの偏向に同期して変化するパラボラ状の電圧が重畳されたダイナミック電圧が印加される。第5電極G5の分割電極G51には、第5電極G5の分割電極G52に印加される電圧の直流成分（約６〜９ｋV）と同じ直流電圧が印加される。第6電極G6には、約２５ｋVの高電圧が印加される。
【手続補正８】
【補正対象書類名】明細書
【補正対象項目名】００４１
【補正方法】変更
【補正の内容】
【００４１】
その第6電極G6の電圧は、ファンネルの径大部に設けられた陽極端子、ファンネルの径大部からネック２の隣接部内面にかけて設けられた内面導電膜１４およびこの内面導電膜１４に圧接するバルブスペーサ１８を介して印加されるが、ヒータHB,HG,HR、カソードKB,KG,KRおよびその他の電極G1，G2、G3，G4，G51,G52には、それぞれネック２端部を封止するステム９の複数本のステムピン１１に接続され、これらステムピン１１を介して、それぞれ上記電圧が印加される。
【手続補正９】
【補正対象書類名】明細書
【補正対象項目名】００４４
【補正方法】変更
【補正の内容】
【００４４】
このようなカラー受像管において、特にこの実施の形態では、上記電子銃８の配設されるネック２の外径を２２．５ｍｍとし、図３に示すように、このネック２の端部を封止するステム９を、フレア部１０の同一円周上を１０本のステムピン１１が気密に貫通し、その１０本のステムピン１１の管内部分となるインナーリード２０のピンサークル２１の直径RP1を１４．０ｍｍとし、管外となるアウターピン２２のピンサークル２３の直径RP2を公称２９．１ｍｍネック用ステムのピンサークルと同じ１５．２４ｍｍとしている。このようなステム９は、各ステムピン１１を折曲げ、好ましくは、図４に示すように、その折曲げ部分をフレア部１０に埋込むことにより得られる。
【手続補正１０】
【補正対象書類名】明細書
【補正対象項目名】００４９
【補正方法】変更
【補正の内容】
【００４９】
なお、図５に示したベース１５の仕切り部２８は、鍔部２６の外周を末端としており、このベース１５には、仕切り部２８とともに、ステムピン挿通孔２７ｉ，２７ｊに滑合する比較的高い電圧を印加するためのステムピンと、ステムピン挿通孔２７ａ〜２７ｈに滑合する比較的低い電圧を印加するためのステムピンとを区画する周方向の仕切り部は設けられていない。
【手続補正１１】
【補正対象書類名】明細書
【補正対象項目名】００５２
【補正方法】変更
【補正の内容】
【００５２】
しかも、上記のように構成すると、ステムピン１１間の間隔が狭くなっても、特に耐電圧上問題となるアウターピン２２の間隔を広くし、かつベース１５にステムピン１１のピンサークルを横切って、比較的高い電圧の印加される第5電極G5の2個の分割電極G51,G52が接続されるステムピン１１ｉ，１１ｊと比較的低い電圧の印加されるヒータHB,HG,HR、カソードKB,KG,KRおよび第5電極G5の分割電極G51,G52以外の電極が接続されるステムピン１１ａ〜１１ｈとを区画して、ベース１５での沿面リークを抑制する仕切り部２８を設けたことにより、十分に耐電圧を確保することができる。
【手続補正１２】
【補正対象書類名】明細書
【補正対象項目名】００５３
【補正方法】変更
【補正の内容】
【００５３】
また、従来よりステムへの受像機などの表示装置のソケットとの組合わせは、ステム中央部の排気管を覆う筒状部でステムとソケットとの中心軸の位置合わせが行なわれ、放射方向の仕切り部により周方向の回転に対する位置合わせがおこなわれているが、上記ベース１５は、筒状部２５および仕切り部２８を従来用いられている２９．１ｍｍネックのステム用ベースと組合わされるソケットに組合せ可能な構成となっているため、互換性を有し、格別のソケットを必要としないという効果をもつ。
【手続補正１３】
【補正対象書類名】明細書
【補正対象項目名】符号の説明
【補正方法】変更
【補正の内容】
【符号の説明】
２…ネック
３…ファンネル
８…電子銃
９…ステム
１０…フレア部
１１…ステムピン
１５…ベース
２３…ピンサークル
２６…放射方向の仕切り部
２７ａ〜２７ｊ…ステムピン挿通孔
３０…周方向の仕切り部
G1…第1電極
G2…第2電極
G3…第3電極
G4…第4電極
G5…第5電極
G51…第5電極の分割電極
G52…第5電極の分割電極
G6…第6電極
HB,HG,HR…ヒータ
KB,KG,KR…カソード
【手続補正１４】
【補正対象書類名】図面
【補正対象項目名】図７
【補正方法】変更
【補正の内容】
【図７】
2000011922.tif 000001